(57)【特許請求の範囲】
【請求項１】
メダルをメダル投入口から投入してゲームを行うゲーム機に隣接してメダル供給機を設けた遊技装置において、メダル供給機の内部にメダルをためるメダルホッパーを設け、前記メダルホッパーのメダルをゲーム機のメダル受皿に移動させるメダル搬送装置を設け、ゲーム機のメダル投入口からのメダルをメダル供給機内のメダルホッパーに自重によって送るメダル戻し路を設け、ゲーム機のメダル払い出し信号とメダル供給機の紙幣・硬貨の投入によるメダル供給信号とを前記メダル搬送装置に送ってメダル搬送装置からメダル受皿にメダルを所要枚数払い出し、メダル投入口から投入されたメダルをメダルホッパーに送るようにし、しかもメダル戻し路がゲーム機とメダル供給機の隣接した各側面を貫通するように設けた遊技装置。
【請求項２】
メダル搬送装置からメダル受皿へのメダル搬送路がゲーム機とメダル供給機の隣接した各側面を貫通するように設けた請求項１記載の遊技装置。
【発明の詳細な説明】
【０００１】
【発明の属する技術分野】
本発明は、メダルを投入してゲームを行うパチスロ、スロットマシン、各種ゲーム機に隣接してメダル供給機を設けた遊技装置に関する。
【０００２】
【従来の技術】
従来のメダルを投入してゲームを行うゲーム機に隣接してメダル供給機を設けた遊技装置では、ゲーム機がメダルを払い出すためにメダルを一時的に貯めるメダルホッパーをゲーム機内に備え、メダル供給機がゲームを行うためのメダルを供給するためにメダルを一時的に貯める別のメダルホッパーをメダル供給機内に備え、それぞれのメダルホッパーにメダルを補給して使用されていた。ゲーム機は比較的短い期間で交換されるため、遊技装置のコストは大きいものになっていた。
また、メダルを使用してゲームを行うゲーム機にメダル供給機を隣接し、ゲームを行う場合には、メダル供給機に紙幣・硬貨を投入するか、カードを差し込んでメダル供給機の供給口からメダルを供給させる。供給口にはメダル受部がほとんどの場合設けられているので、メダルはメダル受部にたまる。所定の量のメダルがメダル受部にたまったならば、ゲームをする人が手でメダル供給機のメダル受部にたまったメダルをゲーム機のメダル受皿に移す。ゲーム機のメダル受皿にメダルを移したならば、メダルをゲーム機に投入してゲームを行う。このように従来では手でメダルをメダル供給機からゲーム機に移すため、手がすべったり、手がほかのものに当たったりした場合には遊技装置が設置している場所にメダルをこぼしてしまうことがあった。また、メダルを手で移す間はゲームが中断してしまっていた。よってゲームを使用する人の気分を害することがあった。
【０００３】
【発明が解決しようとする課題】
本発明が解決しようとする課題は、従来のこれらの問題を解決し、メダル供給機のメダルホッパーがゲーム機のメダルホッパーを兼ねるようにして大幅にコストを削減でき、手軽で、メダルを床に落としてしまうことがないようにし、ゲームを中断しなくてもすみ、楽しく使用できる遊技装置を提供することにある。
【０００４】
【課題を解決するための手段】
かかる課題を解決した本発明の構成は、
１）  メダルをメダル投入口から投入してゲームを行うゲーム機に隣接してメダル供給機を設けた遊技装置において、メダル供給機の内部にメダルをためるメダルホッパーを設け、前記メダルホッパーのメダルをゲーム機のメダル受皿に移動させるメダル搬送装置を設け、ゲーム機のメダル投入口からのメダルをメダル供給機内のメダルホッパーに自重によって送るメダル戻し路を設け、ゲーム機のメダル払い出し信号とメダル供給機の紙幣・硬貨の投入によるメダル供給信号とを前記メダル搬送装置に送ってメダル搬送装置からメダル受皿にメダルを所要枚数払い出し、メダル投入口から投入されたメダルをメダルホッパーに送るようにし、しかもメダル戻し路がゲーム機とメダル供給機の隣接した各側面を貫通するように設けた遊技装置
２）  メダル搬送装置からメダル受皿へのメダル搬送路がゲーム機とメダル供給機の隣接した各側面を貫通するように設けた前記１）記載の遊技装置
にある。
【０００５】
【作用】
本発明では、ゲームを行うためにメダル供給機からメダルを供給させるためには、メダル供給機に紙幣・硬貨を投入する。この際にメダル供給信号をメダル供給機のメダル搬送装置に送ってメダル搬送装置によってメダルホッパーからメダルを所要枚数メダル受皿に送る。ゲームが行なわれることによるメダルの払い出しの際にはゲーム機のメダル払い出し信号をメダル供給機のメダル搬送装置に送ってメダル搬送装置によってメダルホッパーからメダルを所要枚数メダル受皿に送る。  
ゲーム機のメダル投入口からのメダルをメダル供給機内のメダルホッパーに送るメダル戻し路を設けた、ゲームを行うためにゲーム機に投入されたメダルをメダル戻し路によってメダル供給機内のメダルホッパーに送って再利用できるようにする。  
メダル戻し路がゲーム機とメダル供給機の隣接した各側面を貫通するように設けたものは、ゲーム機に投入されたメダルをメダル戻し路によってゲーム機とメダル供給機の隣接した各側面を貫通するようにしてメダル供給機のメダルホッパーに送ることができる。
メダル搬送装置からメダル受皿へのメダル搬送路がゲーム機とメダル供給機の隣接した各側面を貫通するように設けたものは、メダルホッパーからのメダルをメダル搬送路によってゲーム機とメダル供給機の隣接した各側面を貫通してメダル受皿に送るようにする。
【０００６】
【発明の実施の形態】
本発明の遊技装置のゲーム機としては、パチスロ、スロットマシン、その他各種ゲーム機があり、メダルを用いてゲームを行うもので、メダル供給機がゲーム機に隣接されるものであるならば、どのようなものでもよい。
メダル供給機には、硬貨や紙幣、カードなどを投入すると所定の量のメダルが供給されるものが多く用いられる。
メダル受皿へのシュート，メダル回収用シュート，オーバーフロー誘導シュートの材質としては、金属・樹脂・木などがあり、どのようなものでもかまわない。
メダル搬送装置のメダル搬送路は、伸縮可能なものや屈曲自在なものなどどのようなものでもよく、取り付けが簡単で、ゲーム機の機種の変更などに容易に対応できるものが好ましい。
【０００７】
【実施例】
本発明の各参考例及び実施例について図面を参照して具体的に説明する。
参考例１（図１〜８参照）
図１〜８に示す参考例１は、メダル供給機の内部にメダルをためるメダルホッパーを設け、メダルホッパーのメダルをゲーム機のメダル受皿に所要枚数移動させるメダル搬送装置を設け、ゲーム機に投入されたメダルを集めるメダル回収容器を設け、メダル回収容器がゲーム機内に設けられるものであり、メダル投入口からメダルをメダル回収容器に送るメダル回収路がゲーム機とメダル供給機の隣接した各側面を貫通するように設け、メダル搬送装置のメダル搬送路がゲーム機とメダル供給機の隣接した各側面を貫通するように設けた遊技装置の例である。
図１は参考例１の遊技装置の斜視図である。図２は参考例１の遊技装置の一部切欠斜視図である。図３は参考例１の遊技装置のメダルの流れを示す説明図である。図４は参考例１の遊技装置の制御を示す説明図である。図５は参考例１の遊技装置のメダル供給機の斜視図である。図６は参考例１の遊技装置のメダル供給機の一部切欠斜視図である。図７は参考例１の遊技装置のメダル搬送装置の説明図である。図８は参考例１の遊技装置のゲーム機の一部切欠斜視図である。
図中、１は遊技装置、２はゲーム機、２ａは前面扉、２ｂはメダル投入口、２ｃはメダル受皿、２ｄはメダル受皿へのシュート、２ｅはメダル投入センサー、２ｆは貯留カウンタ、３はメダル回収路として用いたメダル回収用シュート、５はメダル回収容器、６はメダル供給機、６ａは紙幣投入口、６ｂはメダルホッパー、６ｃはメダル供給口、６ｅは紙幣投入センサー、７はメダル搬送装置、７ａは搬送装置本体、７ｂは回転ディスク、７ｃはメダルカウンタ、７ｄはガイド板、７ｅは突起、７ｆはメダル搬送用シュート、７ｇはメダル供給用シュート、８はゲーム機電子機部、９はメダル補給筒、ｍはメダルである。
【０００８】
参考例１ではゲーム機としてパチスロ機を用いている。
本参考例１のゲーム機２は、図１に示すように左右方向に開閉が可能な前面扉２ａにメダルを投入できるメダル投入口２ｂを設けている。また前面扉２ａには、透明な窓部分を３箇所に設けて内部のドラムが見えるようにし、ドラムの回転を止めるためのボタン、ドラムを回転させるためのレバー等ゲームに必要なボタン等が配置される。さらに前面扉２ａには５０まで表示可能な貯留カウンタ２ｆを設ける。次にゲーム機２前面の下部にメダルを受けるメダル受皿２ｃを設ける。メダル受皿２ｃよりやや上部には、メダル受皿へのシュート２ｄを設け、吐出口をゲーム機２の前面扉２ａに設ける。次に、図３，８に示すようにゲーム機２内にメダル回収容器５を設け、次にゲーム機２の前面扉２ａのメダル投入口２ｂから投入されたメダルをメダル回収容器５に送るメダル回収用シュート３を設ける。メダル回収用シュート３には投入されたメダルを検知するメダル投入センサー２ｅを設ける。次に、ゲーム機２のメダル供給機６を設置する側の側壁に貫通孔を設け、その貫通孔からメダル受皿へのシュート２ｄにメダルを送るメダル搬送用シュート７ｆを設ける。メダル回収用シュート３及びメダル搬送用シュート７ｆは筒状になっており内部をメダルの通路にしている。
【０００９】
メダル供給機６は図３，５，６に示すように、ゲーム機２の側方に側壁同士が密着するようにして設ける。メダル供給機６の内部には、所定の高さ位置に大きい容量のメダルホッパー６ｂを設ける。メダル供給機６と密着した側のゲーム機２の貫通孔と連通するようにメダル供給機６の側壁に貫通孔を設けてメダル供給口６ｃとする。次にメダル供給口６ｃにメダルを送るメダル供給用シュート７ｇを設ける。次にメダルホッパー６ｂからメダル供給用シュート７ｇに送るメダルの量を制御できるメダル搬送装置７を設ける。メダル搬送装置７は図７に示すようにメダルホッパー６ｂの下部に搬送装置本体７ａを設け、メダルホッパー６ｂの下面に合わせて傾斜させた搬送装置本体７ａの上面部分に空隙を持ってはめ込むようにしてモータで回転する回転ディスク７ｂを設ける。回転ディスク７ｂにはメダルが嵌入できる穴を複数設ける。次に傾斜していることにより上側になる回転ディスク７ｂの下面位置に回転ディスク７ｂに対して所定の空隙を持つようにした突起７ｅを設ける。次に回転ディスク７ｂの上方の搬送装置本体７ａ上にガイド板７ｄを設ける。さらに回転ディスク７ｂの上方の搬送装置本体７ａ上にメダルカウンタ７ｃを設ける。メダルカウンタ７ｃは側方の一部に空間のあるコ字状になっており、ガイド板７ｄに近い側方に空間が位置するようにする。このガイド板７ｄ及びメダルカウンタ７ｃの斜め上方がメダル供給用シュート７ｇの始端になるようにする。次に図５，６に示すようにメダル供給機６の前面に紙幣投入口６ａを設ける。メダル供給機６の内部には、紙幣投入口６ａから投入された紙幣を検知する紙幣投入センサー６ｅを設ける。また、メダルホッパー６ｂの上方には、別の場所からメダルホッパー６ｂにメダルを送って補給するメダル補給筒９を後方から内部に突入させて設けている。
【００１０】
次にゲーム機の内部にゲーム機電子機部８を設ける。ゲーム機電子機部８は、ＣＰＵ，ＲＯＭ，ＲＡＭ，インターフェース等からなりゲームの内容，ゲームの結果となるメダルの払い出し等を制御する。図４に示すようにゲーム機電子機部８のインターフェースは、ゲーム機２のメダル投入センサー２ｅ及び貯留カウンタ２ｆに各々接続するよう配線されている。さらにゲーム機電子機部８のインターフェースはメダル搬送装置７の制御部に接続するよう配線されている。
【００１１】
本参考例１の遊技装置では、図２，３，６に示すように、ゲームを行った結果、ゲーム機２のメダル受皿２ｃに払い出すメダルを一時的にためておくメダルホッパーをゲーム機２内に設けず、メダル供給機のメダルホッパー６ｂが兼ねるようにする。
まず、ゲームを行うために、ゲームを行う人がメダル供給機６に紙幣を投入してメダルを得るためには、紙幣を紙幣投入口６ａに投入する。投入された紙幣は、紙幣投入センサー６ｅによって種類や本物かどうか等を確認され、図４に示すように紙幣投入センサー６ｅからメダル搬送装置７の制御部に紙幣が投入されたことを示す信号を送る。メダル搬送装置７は供給信号を受け取ったならば、モータの回転によって回転ディスク７ｂが回転する。メダルホッパー６ｂの下部から回転ディスク７ｂの嵌合用の穴に嵌合したメダルｍは回転ディスク７ｂの回転によって上方位置に回転移動する。回転ディスク７ｂの回転によって上方に移動したメダルｍは突起７ｅに当たることによってその反発力によって上方に押し出される。この反発が大きいことによって上方ではなく、突起７ｅと反対方向の斜め上方にメダルｍが移動した場合には、ガイド板７ｄに当たって上方に向って移動するよう誘導される。このようにして上方に移動するメダルｍはメダルカウンタ７ｃのコ字状となっている空間部分を通過する。この際にメダルｍの通過をセンサーでメダルカウンタ７ｃが検知することによってメダルホッパー６ｂからメダル供給用シュート７ｇに送り出すメダルｍの枚数をカウントすることによって所定枚数のメダルｍを送り出すことができる。このようにしてメダル供給用シュート７ｇに送られたメダルｍはコ字状のメダル供給用シュート７ｇの内部のメダル通路を通ってメダル供給機６のメダル供給口６ｃに送られる。メダル供給口６ｃはゲーム機２の側壁に設けられた貫通孔と連通しているので、メダルｍはゲーム機２内部に移動し、ゲーム機２の内部のメダル搬送用シュート７ｆ内の通路を通過する。メダル搬送用シュート７ｆの先端から吐出されたメダルｍは、メダル受皿へのシュート２ｄの通路に落下し、メダル受皿へのシュート２ｄの先端はゲーム機２の前面扉２ａで開口した吐出口となっているのでこの吐出口からメダルはさらにメダル受皿２ｃ内に落下する。メダルホッパー６ｂからメダル受皿２ｃまでのメダルの移動は全てメダルの自重で移動する。
このように本参考例１の遊技装置１では、メダルはメダル供給機６のメダル供給口６ｃからゲーム機２内部を通過してメダル受皿２ｃに運ばれる。よって、見栄えがよく、かつ、ゲーム機２の点検、発生した不具合に対する処置を行う際に前面扉２ａを開閉しても外部のシュートが障害物となってしまうようなことがない。
【００１２】
メダル供給機に紙幣を投入してメダル受皿２ｃにメダルを払い出したならば、ゲームを行うために、メダルｍをメダル投入口２ｂに投入する。メダル投入口２ｂに投入されたメダルｍは、図３，８に示すようにメダル回収用シュート３内のメダル通路を通過して行く。この際にメダル通過及びメダルが本物かどうかをメダル投入センサー２ｅで検知して、図４に示すようにメダル投入センサー２ｅからゲーム機電子機部８のインターフェースにメダルｍが投入されたことを示す信号を送る。メダルｍが投入されたことを示す信号をゲーム機電子機部８が受け取ったならば、ゲームをスタートさせる。この際に、使用する人の好みにより貯留カウンタ２ｆのＯＮ，ＯＦＦを切換え、ゲームごとのメダルの投入・ゲームの払い出しを貯留カウンタ２ｆを用いて行ってもよいし、貯留カウンタ２ｆを用いなくてもよい。メダル回収シュート３の先端はメダル回収容器５の上方に位置しているので、メダル回収シュート３を通過したメダルｍはメダル回収容器５内に落下して行く。参考例１の遊技装置１ではこのようにゲーム機２内に投入されたメダルｍをメダル回収容器５に回収し、定期的に取り出して洗浄を行って再利用する。投入するメダルｍはゲームを行う人が手で直接持つので手の脂や汚れがメダルｍに付着しやすいが、投入されたメダルをメダル回収容器５で回収することによって、手の脂や汚れが付着したメダルｍがゲーム機２内やゲーム後に枚数を数えるカウンタ機内でメダル詰り等のトラブルが起こることを防ぐことができ、また清潔に使用できる。
このように本参考例１の遊技装置１では、ゲーム機２内に設けたメダル搬送装置によってメダルｍをゲーム機２のメダル受皿２ｃに送るようにし、手軽で、メダルｍを床に落としてしまうことがないようにし、ゲームを中断しなくてもすみ、楽しく使用できる。
さらにゲーム機２内にメダルホッパーを設けないのでゲーム機２のコストは大幅に削減される。本参考例１でゲーム機２として用いているパチスロ機は、定期的又は使用者数等に応じて交換されるがメダル供給機６は交換されないため、ゲーム機２のコストが下がることによってゲーム機２の交換時のコストが大幅に削減される。ゲーム機２は通常、多数用いられるため、その効果は非常に大きい。
【００１３】
実施例１（図９〜１２参照）
図９〜１２に示す実施例１は、ゲーム機のメダル投入口からのメダルをメダル供給機内のメダルホッパーに送るメダル戻し路を設け、ゲーム機に投入されたメダルをメダルホッパーに送り、メダル戻し路がゲーム機とメダル供給機の隣接した各側面を貫通するように設けた遊技装置の例である。
図９は実施例１の遊技装置のゲーム機の一部切欠斜視図である。図１０は実施例１の遊技装置の一部切欠斜視図である。図１１は実施例１の遊技装置のメダル供給機の斜視図である。図１２は実施例１の遊技装置のメダル供給機の一部切欠斜視図である。
図中、１４はメダル戻し路、１５はメダル戻し口である。
実施例１では、図９〜１２に示すように、メダル投入口２ｂから投入したメダルｍをメダル供給機６内のメダルホッパー６ｂに送るメダル戻し路１４を設ける。メダル戻し路１４は内部空間を備え、その内部空間をメダル通路としている。また、メダルｍは自重によって移動する。メダル戻し路１４はゲーム機２側方に設けた開口部分とその開口部分と連通するようメダル供給機６側方に設けたメダル戻し口１５を貫通するようにして設けられる。よってゲーム機２，メダル供給機６のスペースを有効に活用できる。このようにしてゲーム機２に投入したメダルｍがメダルホッパー６ｂに戻るようにして、回収する手間を省き、かつメダルｍが効率的に使用できるようにしてもよい。
その他符号、構成、作用、使い方は参考例１と同じである。
【００１４】
実施例２（図１３参照）
図１３に示すのは実施例２の例である。
図１３は実施例２のメダル供給機の一部切欠斜視図である。
図中、１７はオーバーフロー誘導口、１８はオーバーフローメダル回収容器である。
実施例２では図１３に示すようにメダルホッパー６ｂにオーバーフロー誘導口１７を設け、オーバーフロー誘導口１７の下方にオーバーフローメダル回収容器１８を設けている。メダルホッパー６ｂに所定量以上のメダルｍが補給された場合には、オーバーフロー誘導口１７から所定量を越える分のメダルｍが下方に落下するようにし、落下したメダルｍをオーバーフローメダル回収容器１８に回収する。このようにして、メダルホッパー６ｂのメダルが多すぎることによってメダル搬送装置での不具合などがおこらないようにし、またメダルホッパー６ｂからあふれたメダルによる不具合を防ぎ、かつメダルｍが効果的に使用されるようにしてもよい。
その他符号、構成、作用、使い方は実施例１と同じである。
【００１５】
図１４に示すのは実施例１の遊技装置の他の例である。
図１４は実施例１の遊技装置の他の例の説明図である。
図中、２０はオーバーフロー誘導口、２１はオーバーフローメダル回収容器、２２は蛇腹、２３は移送部、２４は回収コンベヤである。
図１４に示す実施例１の遊技装置の他の例では、メダルホッパー６ｂにオーバーフロー誘導口２０を設け、オーバーフロー誘導口２０の下方にオーバーフローメダル回収容器２１を設けている。さらにオーバーフローメダル回収容器２１の下部が下方に連通するよう蛇腹２２を設け、蛇腹２２からさらに下方にメダルｍを送るように移送部２３を設け、さらに移送部２３から落下するメダルｍを所定の場所に送る回収コンベヤ２４を設けている。このようにしてメダルホッパー６ｂが一時的に貯めるメダルの量が所定量以上になった場合に、所定量以上のメダルｍを下方に送って回収コンベヤ２４で回収して再利用するようにしてもよい。
その他符号、構成、作用、使い方は実施例１と同じである。
【００１６】
参考例２（図１５〜１８参照）
図１５〜１８に示す参考例２は、メダル回収容器がメダル供給機内に設けられるものであり、メダル回収路がゲーム機とメダル供給機の隣接した各側面を貫通するように設けた遊技装置の例である。
図１５は参考例２の遊技装置のゲーム機の一部切欠斜視図である。図１６は参考例２の遊技装置の一部切欠斜視図である。図１７は参考例２の遊技装置のメダル供給機の斜視図である。図１８は参考例２の遊技装置のメダル供給機の一部切欠斜視図である。
図中、２６はメダル回収路として用いたメダル回収用シュート、２７はメダル回収容器、２８はメダル戻し口である。
参考例２では図１５〜１８に示すように、メダル供給機６内にメダル回収容器２７を設け、メダル回収容器２７の上方でゲーム機２側のメダル供給機６の側壁に開口を設けメダル戻し口２８とし、メダル投入口２ｂからメダルをメダル回収容器２７に送るメダル回収用シュート２６を設けている。メダル回収用シュート２６は、ゲーム機２の側壁に設けた開口部分とその開口部分に連通するように設けたメダル戻し口２８を貫通するように設けられる。このようにして、メダル供給機内に設けたメダル回収容器にメダルを回収するようにしてもよい。
その他符号、構成、作用、使い方は参考例１と同じである。
【００１７】
参考例３（図１９参照）
図１９に示す参考例３は、ゲーム機の近くに回収コンベヤを配置し、ゲーム機のメダル投入口からのメダルをメダル供給機に送ってメダル供給機内から回収コンベヤにメダルを送るメダル回収シュートを設け、メダル回収用シュートがゲーム機とメダル供給機の隣設した各側面を貫通するように設けた遊技装置の例である。
図１９は参考例３の遊技装置の説明図である。
図中、３０はメダル回収容器、３１は蛇腹、３２は移送部、３３は回収コンベヤ、３４はメダル回収シュートである。
参考例３では図１９に示すようにメダル供給機６の内部に設けたメダル回収容器３０の下部に蛇腹３１を連通させて設け、蛇腹３１の下部に移送部３２を設け、メダル供給機６の下方に回収コンベヤ３３を設ける。メダル回収シュート３４によって、メダル供給機６内のメダル回収容器３０内に移送されたメダルｍは、蛇腹３１内を下方に自重で移動し、移送部３２より回収コンベヤ３３上に落下し、回収コンベヤ３３によって所定位置に移送される。このようにメダル供給機６内に移送したメダルｍを回収コンベヤ３３に送るようにしてメダルを効率的に使用し、また回収したメダルを洗浄して清潔なメダルを使用できるようにしてもよい。
その他符号、構成、作用、使い方は参考例２と同じである。
【００１８】
参考例４（図２０参照）
図２０に示す参考例４はメダル回収容器がゲーム機の近くのメダル供給機でない場所に設けられるものである遊技装置の例である。
図２０は参考例４の遊技装置の説明図である。
図中、３５はメダル回収用シュート、３６は吐出口、３７はメダル回収容器である。
参考例４では図２０に示すようにゲーム機２の外部に隣接してメダル回収容器３７を設け、メダル投入口２ｂからメダルをメダル回収容器３７の上方のゲーム機２側壁に設けた吐出口３６に移送するメダル回収用シュート３５を設けている。このようにゲーム機２に投入されたメダルｍをゲーム機２の外部に送ってメダル回収容器３７に回収して、その後の回収作業を行いやすいようにしてもよい。
その他符号、構成、作用、使い方は参考例１と同じである。
【００１９】
参考例５（図２１参照）
図２１に示すのは、ゲーム機の近くに回収コンベヤを配置し、ゲーム機のメダル投入口からのメダルをゲーム機の側面を貫通したメダル回収シュートを介して回収コンベヤに送るようにした遊技装置の例である。
図２１は、参考例５の遊技装置の説明図である。
図中、３９はメダル回収容器、４０は蛇腹、４１は回収コンベヤである。
参考例５では図２１に示すようにメダル回収用シュート３５でメダルｍをゲーム機２の外部に送って、そこから吐出口３６の下方に設けたメダル回収容器３９でメダルｍを回収し、さらにメダルｍを蛇腹４０で回収コンベヤ４１に送るようにしてメダルを効率的に使用し、回収したメダルを洗浄することで清潔に使用できるようにしてもよい。
その他符号、構成、作用、使い方は参考例３と同じである。
【００２０】
実施例３（図２２参照）
図２２に示す実施例３はメダル供給機に隣接してオーバーフローメダル回収容器を設けた遊技装置の例である。
図２２は、実施例３の遊技装置のメダル供給機のオーバーフローメダル回収容器の一部切欠斜視図である。
図中、４３はオーバーフロー誘導シュート、４４は吐出口、４５はオーバーフローメダル回収容器である。
実施例３では図２２に示すようにメダルホッパー６ｂ内のメダルｍが所定量以上になると、所定量を越えた分のメダルｍを外部に誘導するオーバーフロー誘導シュート４３を設け、吐出口４４を設けてメダルｍが外部に吐出されるようにし、吐出口４４の下方でメダル供給機６に隣接してオーバーフローメダル回収容器４５を設けている。このようにしてメダルホッパー６ｂに補給されたメダルｍが所定量を越えると外部のオーバーフローメダル回収容器４５に回収されるようにしてもよい。
その他符号、構成、作用、使い方は実施例１と同じである。
【００２１】
図２３に示すのは実施例３の遊技装置の他の例である。
図２３は、実施例３の遊技装置の他の例の説明図である。
図中、４７はメダル回収容器、４８は蛇腹、４９は回収コンベヤである。
実施例３の他の例では、図２３に示すようにメダル供給機６に隣接して設けたメダル回収容器４７の下部に連通する蛇腹４８を設け、蛇腹４８の下方でかつメダル供給機６の下方に回収コンベヤ４９を設け、メダルホッパー６ｂの所定量以上のメダルｍをメダル回収容器４７から蛇腹４８に送り、蛇腹４８から回収コンベヤ４９に送るようにしている。このようにメダルホッパー６ｂの所定量以上のメダルｍを外部に送って、外部から回収コンベヤ４９に送るようにしてもよい。
その他符号、構成、作用、使い方は実施例１と同じである。
【００２２】
【発明の効果】
本発明によれば、メダル供給機のメダルホッパーがゲーム機のメダルホッパーを兼ねるようにして大幅にコストを削減でき、手軽で、メダルを床に落としてしまうことがないようにし、ゲームを中断しなくてもすみ、楽しく使用できる遊技装置にできる。  
ゲーム機のメダル投入口からのメダルをメダル供給機内のメダルホッパーに送るメダル戻し路を設けたので、メダルをさらに効率的に使用する遊技装置にできる。  
メダル戻し路がゲーム機とメダル供給機の隣接した各側面を貫通するように設けたものは、スペースを有効に活用した遊技装置にできる。
メダル搬送装置からメダル受皿へのメダル搬送路がゲーム機とメダル供給機の隣接した各側面を貫通するように設けたものは、さらにスペースを有効に活用した遊技装置にできる。
【図面の簡単な説明】
【図１】  参考例１の遊技装置の斜視図である。
【図２】  参考例１の遊技装置の一部切欠斜視図である。
【図３】  参考例１の遊技装置のメダルの流れを示す説明図である。
【図４】  参考例１の遊技装置の制御を示す説明図である。
【図５】  参考例１の遊技装置のメダル供給機の斜視図である。
【図６】  参考例１の遊技装置のメダル供給機の一部切欠斜視図である。
【図７】  参考例１の遊技装置のメダル搬送装置の説明図である。
【図８】  参考例１の遊技装置のゲーム機の一部切欠斜視図である。
【図９】  実施例１の遊技装置のゲーム機の一部切欠斜視図である。
【図１０】  実施例１の遊技装置の一部切欠斜視図である。
【図１１】  実施例１の遊技装置のメダル供給機の斜視図である。
【図１２】  実施例１の遊技装置のメダル供給機の一部切欠斜視図である。
【図１３】  実施例２のメダル供給機の一部切欠斜視図である。
【図１４】  実施例１の遊技装置の他の例の説明図である。
【図１５】  参考例２の遊技装置のゲーム機の一部切欠斜視図である。
【図１６】  参考例２の遊技装置の一部切欠斜視図である。
【図１７】  参考例２の遊技装置のメダル供給機の斜視図である。
【図１８】  参考例２の遊技装置のメダル供給機の一部切欠斜視図である。
【図１９】  参考例３の遊技装置の説明図である。
【図２０】  参考例４の遊技装置の説明図である。
【図２１】  参考例５の遊技装置の説明図である。
【図２２】  実施例３の遊技装置のメダル供給機のオーバーフローメダル回収容器の一部切欠斜視図である。
【図２３】  実施例３の遊技装置の他の例の説明図である。
【符号の説明】
１  遊技装置
２  ゲーム機
２ａ  前面扉
２ｂ  メダル投入口
２ｃ  メダル受皿
２ｄ  メダル受皿へのシュート
２ｅ  メダル投入センサー
２ｆ  貯留カウンタ
３  メダル回収用シュート
４  欠番
５  メダル回収容器
６  メダル供給機
６ａ  紙幣投入口
６ｂ  メダルホッパー
６ｃ  メダル供給口
６ｄ  欠番
６ｅ  紙幣投入センサー
７  メダル搬送装置
７ａ  搬送装置本体
７ｂ  回転ディスク
７ｃ  メダルカウンタ
７ｄ  ガイド板
７ｅ  突起
７ｆ  メダル搬送用シュート
７ｇ  メダル供給用シュート
８  ゲーム機電子機部
９  メダル補給筒
１０  欠番
１１  欠番
１２  欠番
１３  欠番
１４  メダル戻し路
１５  メダル戻し口
１６  欠番
１７  オーバーフロー誘導口
１８  オーバーフローメダル回収容器
１９  欠番
２０  オーバーフロー誘導口
２１  オーバーフローメダル回収容器
２２  蛇腹
２３  移送部
２４  回収コンベヤ
２５  欠番
２６  メダル回収用シュート
２７  メダル回収容器
２８  メダル戻し口
２９  欠番
３０  メダル回収容器
３１  蛇腹
３２  移送部
３３  回収コンベヤ
３４  メダル回収シュート
３５  メダル回収用シュート
３６  吐出口
３７  メダル回収容器
３８  欠番
３９  メダル回収容器
４０  蛇腹
４１  回収コンベヤ
４２  欠番
４３  オーバーフロー誘導シュート
４４  吐出口
４５  オーバーフローメダル回収容器
４６  欠番
４７  メダル回収容器
４８  蛇腹
４９  回収コンベヤ
ｍ  メダル
【図１】
0004248699.tif 000002
【図２】
0004248699.tif 000003
【図３】
0004248699.tif 000004
【図４】
0004248699.tif 000005
【図５】
0004248699.tif 000006
【図６】
0004248699.tif 000007
【図７】
0004248699.tif 000008
【図８】
0004248699.tif 000009
【図９】
0004248699.tif 000010
【図１０】
0004248699.tif 000011
【図１１】
0004248699.tif 000012
【図１２】
0004248699.tif 000013
【図１３】
0004248699.tif 000014
【図１４】
0004248699.tif 000015
【図１５】
0004248699.tif 000016
【図１６】
0004248699.tif 000017
【図１７】
0004248699.tif 000018
【図１８】
0004248699.tif 000019
【図１９】
0004248699.tif 000020
【図２０】
0004248699.tif 000021
【図２１】
0004248699.tif 000022
【図２２】
0004248699.tif 000023
【図２３】
0004248699.tif 000024